(57)【要約】【課題】各種配置の仕方を変動させることで、視覚的効果のみならず機能的効果を奏し、インテリア的性質を超えた有用性を発揮させる。【解決手段】本考案は、大きさのそれぞれ異なる３種の天板と長さのそれぞれ異なる３種の脚において、第１の天板を複数の第１の脚で支える第１のテーブルと、第２の天板を複数の第２の脚で支える第２のテーブルと、第３の天板を複数の第３の脚で支える第３のテーブルとから構成されることを最も主要な特徴とする。【選択図】図１
0003116746.tif 000002
【実用新案登録請求の範囲】
【請求項１】
大きさのそれぞれ異なる３種の天板と長さのそれぞれ異なる３種の脚において、第１の天板を複数の第１の脚で支える第１のテーブルと、第２の天板を複数の第２の脚で支える第２のテーブルと、第３の天板を複数の第３の脚で支える第３のテーブルとから構成されることを特徴とするテーブルセット。
【考案の詳細な説明】
【技術分野】
【０００１】
本考案は、テーブルセットに係り、特にスペースの有効利用に資するテーブルセットに関する。
【背景技術】
【０００２】
従来、テーブルセットとしては、椅子を卓に対して姿勢固定して、健常者が利用する場合に容易に、しかも、安定して着席できるように便宜を図ったものが知られている。
【０００３】
ところが、従来のテーブルセット は、健常者が利用するために構成されているが、一旦車椅子利用者が利用するには不便であった。また、テーブルセットとして複数のテーブルを用いるとき、その無機的な形状ゆえ組み合わせが固定的で、美観を刺激しないものであった。
【考案の開示】
【考案が解決しようとする課題】
【０００４】
解決しようとする問題点は、テーブルセットの組み合わせが固定的で、劇的効果が期待できない点である。
【課題を解決するための手段】
【０００５】
本考案は、大きさのそれぞれ異なる３種の天板と長さのそれぞれ異なる３種の脚において、第１の天板を複数の第１の脚で支える第１のテーブルと、第２の天板を複数の第２の脚で支える第２のテーブルと、第３の天板を複数の第３の脚で支える第３のテーブルとから構成されることを最も主要な特徴とする。
【考案の効果】
【０００６】
本考案のテーブルセットは、３種類の大きさ及び高さの異なる近似したデザインの天板を有するテーブルに係る物品を組み合わせたものであり、各種配置の仕方を変動させることで、視覚的効果のみならず機能的効果を奏し、インテリア的性質を超えた有用性を発揮する。たとえば、３物品で囲繞するよう（囲繞型）に配置される場合にはテーブルに載置される品物を視認し易い展示効果が奏される。３物品が略中心の位置からそれぞれが放射するよう（放射型）に配置される場合にはテーブルに係る物品自体を協調する劇的効果が奏される。また、３物品が略一列を形成するよう（一列型）に配置される場合にはスペースの有効利用に資する実用的効果が奏される。
【考案を実施するための最良の形態】
【０００７】
次に、本考案を、図面を参照して説明する。
【０００８】
図１〜６は、本考案に係るテーブルセットの、それぞれ正面図、背面図、右側面図、左側面図、平面図、底面図である。図７〜１２は、本考案に係るテーブルセットを構成するテーブルのうち比較的大のテーブルの、それぞれ正面図、背面図、右側面図、左側面図、平面図、底面図である。図１３〜１８は、本考案に係るテーブルセットを構成するテーブルのうち比較的中のテーブルの、それぞれ正面図、背面図、右側面図、左側面図、平面図、底面図である。図１９〜２４は、本考案に係るテーブルセットを構成するテーブルのうち比較的小のテーブルの、それぞれ正面図、背面図、右側面図、左側面図、平面図、底面図である。図２５〜３０は、本考案に係るテーブルセットに係るテーブル３体を放射型に配置している状態の、それぞれ正面図、背面図、右側面図、左側面図、平面図、底面図である。図３１〜３６は、本考案に係るテーブルセットに係るテーブル３体を略一列に配置している状態の、それぞれ正面図、背面図、右側面図、左側面図、平面図、底面図である。
【０００９】
たとえば「たまごテーブル」として、平面形状を略卵型のような形にする。大、中、小と大きさの違う卵型のテーブルが３つ、それぞれ高さも変えた。１列に並べてもよく、３つ固めてもよい。
【００１０】
高さが違うので重ねても使える。人数に合わせて狭めたり広げたりして使える。工夫次第でレイアウトを変えられるからユニットごとに雰囲気が変わる。天板の高さも大きさも違うから違和感はない。人数に合わせて広げて使うようにしてもよいし、ひとつにまとめて使うようにしてもよく、組み合わせ自由自在。使い方は工夫次第である。いままでの硬直化した食堂とは異なる、個性的で柔らかな空間づくりが可能となる。
【００１１】
材料は、たとえばアッシュ材のムクを用いる。共通のデザインと材質で視覚的にも角ばっているよりは、やさしい雰囲気が出せる。天板高さはたとえばそれぞれ６７，６３，５９センチとしてよい。お年寄りの身長に合わせて使うことが可能である。テーブルの足は付け替え可能なので組み合わせが自由に替えられる。また、高さを車椅子がつかえないようなものを選択すれば、足の不自由な老人でも本願のテーブルセットの動的な質感を味わうことができ、またテーブルの上も見わたすことが可能である。
【産業上の利用可能性】
【００１２】
本考案のテーブルセットは、３種類の大きさ及び高さの異なる近似したデザインの天板を有するテーブルに係る物品を組み合わせたものであり、各種配置の仕方を変動させることで、視覚的効果のみならず機能的効果を奏し、インテリア的性質を超えた有用性を発揮する。たとえば、３物品で囲繞するよう（囲繞型）に配置される場合にはテーブルに載置される品物を視認し易い展示効果が奏される。３物品が略中心の位置からそれぞれが放射するよう（放射型）に配置される場合にはテーブルに係る物品自体を協調する劇的効果が奏される。また、３物品が略一列を形成するよう（一列型）に配置される場合にはスペースの有効利用に資する実用的効果が奏されるので、種々の実用的用途に適用できる。
【図面の簡単な説明】
【００１３】
【図１】本願に係るテーブルセットの正面図である。
【図２】本願に係るテーブルセットの背面図である。
【図３】本願に係るテーブルセットの右側面図である。
【図４】本願に係るテーブルセットの左側面図である。
【図５】本願に係るテーブルセットの平面図である。
【図６】本願に係るテーブルセットの底面図である。
【図７】本願に係るテーブルセットを構成するテーブルのうち比較的大のテーブルの正面図である。
【図８】本願に係るテーブルセットを構成するテーブルのうち比較的大のテーブルの背面図である。
【図９】本願に係るテーブルセットを構成するテーブルのうち比較的大のテーブルの右側面図である。
【図１０】本願に係るテーブルセットを構成するテーブルのうち比較的大のテーブルの左側面図である。
【図１１】本願に係るテーブルセットを構成するテーブルのうち比較的大のテーブルの平面図である。
【図１２】本願に係るテーブルセットを構成するテーブルのうち比較的大のテーブルの底面図である。
【図１３】本願に係るテーブルセットを構成するテーブルのうち比較的中のテーブルの正面図である。
【図１４】本願に係るテーブルセットを構成するテーブルのうち比較的中のテーブルの背面図である。
【図１５】本願に係るテーブルセットを構成するテーブルのうち比較的中のテーブルの右側面図である。
【図１６】本願に係るテーブルセットを構成するテーブルのうち比較的中のテーブルの左側面図である。
【図１７】本願に係るテーブルセットを構成するテーブルのうち比較的中のテーブルの平面図である。
【図１８】本願に係るテーブルセットを構成するテーブルのうち比較的中のテーブルの底面図である。
【図１９】本願に係るテーブルセットを構成するテーブルのうち比較的小のテーブルの正面図である。
【図２０】本願に係るテーブルセットを構成するテーブルのうち比較的小のテーブルの背面図である。
【図２１】本願に係るテーブルセットを構成するテーブルのうち比較的小のテーブルの右側面図である。
【図２２】本願に係るテーブルセットを構成するテーブルのうち比較的小のテーブルの左側面図である。
【図２３】本願に係るテーブルセットを構成するテーブルのうち比較的小のテーブルの平面図である。
【図２４】本願に係るテーブルセットを構成するテーブルのうち比較的小のテーブルの底面図である。
【図２５】本願に係るテーブルセットに係るテーブル３体を放射型に配置している状態の正面図である。
【図２６】本願に係るテーブルセットに係るテーブル３体を放射型に配置している状態の背面図である。
【図２７】本願に係るテーブルセットに係るテーブル３体を放射型に配置している状態の右側面図である。
【図２８】本願に係るテーブルセットに係るテーブル３体を放射型に配置している状態の左側面図である。
【図２９】本願に係るテーブルセットに係るテーブル３体を放射型に配置している状態の平面図である。
【図３０】本願に係るテーブルセットに係るテーブル３体を放射型に配置している状態の底面図である。
【図３１】本願に係るテーブルセットに係るテーブル３体を略一列に配置している状態の正面図である。
【図３２】本願に係るテーブルセットに係るテーブル３体を略一列に配置している状態の背面図である。
【図３３】本願に係るテーブルセットに係るテーブル３体を略一列に配置している状態の右側面図である。
【図３４】本願に係るテーブルセットに係るテーブル３体を略一列に配置している状態の左側面図である。
【図３５】本願に係るテーブルセットに係るテーブル３体を略一列に配置している状態の平面図である。
【図３６】本願に係るテーブルセットに係るテーブル３体を略一列に配置している状態の底面図である。
【符号の説明】
【００１４】
１    テーブル
２    天板
３    脚
【図１】
0003116746.tif 000003
【図２】
0003116746.tif 000004
【図３】
0003116746.tif 000005
【図４】
0003116746.tif 000006
【図５】
0003116746.tif 000007
【図６】
0003116746.tif 000008
【図７】
0003116746.tif 000009
【図８】
0003116746.tif 000010
【図９】
0003116746.tif 000011
【図１０】
0003116746.tif 000012
【図１１】
0003116746.tif 000013
【図１２】
0003116746.tif 000014
【図１３】
0003116746.tif 000015
【図１４】
0003116746.tif 000016
【図１５】
0003116746.tif 000017
【図１６】
0003116746.tif 000018
【図１７】
0003116746.tif 000019
【図１８】
0003116746.tif 000020
【図１９】
0003116746.tif 000021
【図２０】
0003116746.tif 000022
【図２１】
0003116746.tif 000023
【図２２】
0003116746.tif 000024
【図２３】
0003116746.tif 000025
【図２４】
0003116746.tif 000026
【図２５】
0003116746.tif 000027
【図２６】
0003116746.tif 000028
【図２７】
0003116746.tif 000029
【図２８】
0003116746.tif 000030
【図２９】
0003116746.tif 000031
【図３０】
0003116746.tif 000032
【図３１】
0003116746.tif 000033
【図３２】
0003116746.tif 000034
【図３３】
0003116746.tif 000035
【図３４】
0003116746.tif 000036
【図３５】
0003116746.tif 000037
【図３６】
0003116746.tif 000038